(57)【要約】【課題】軽量化を図りつつ、しっかりとポット受台の位置決めを行えるとともに、美観の低下を防ぐことができるポット据付部材を実現する。【解決手段】本発明に係るポット据付部材１は、植物を植えつけるポットを支持するためのポット受台２を有する。このポット受台２が、異なる山部１０５間における対向する山部側面１０９それぞれに当接する山部当接部２３を備え、山部１０５間で支持される。【選択図】図１
2008125472.tif 000002
【特許請求の範囲】
【請求項１】
植物を植えつけるポットを支持するためのポット受台を有し、該ポットを折板屋根に据えるポット据付部材において、
上記折板屋根では平板を折り曲げ形成した突出部分である山部が複数形成されており、上記折板屋根における、平板からこの山部の突出端部に向かって立ち上がる部分を山部側部とすると、
対となって上記山部を形成する山部側部それぞれが、互いに山部の突出端部に向かって近接するように傾斜しており、
上記ポット受台が、
異なる山部間における対向する山部側部それぞれに当接する山部側部当接面を備えることを特徴とするポット据付部材。
【請求項２】
上記ポット受台は、
上記山部側部当接面上に設けられ、異なる山部間で当該ポット受台を架け渡して配置するための架設部をさらに備えることを特徴とする請求項１に記載のポット据付部材。
【請求項３】
上記ポットは、植物を植えつける上部面および植えつけた植物を支える底部面を備え、上記折板屋根に形成された同一山部間において複数の上記ポット受台が配置されており、
上記ポット受台は、
上記ポットの底部面端部を支持するポット支持部をさらに備え、
上記ポット支持部が、同一山部間で配置され隣接する他のポット受台が有するポット支持部と一対で１つのポットを支持することを特徴とする請求項１または２に記載のポット据付部材。
【請求項４】
上記ポット支持部は、隣接する、異なるポットそれぞれの底部面端部を支持する２つの支持面を有していることを特徴とする請求項３に記載のポット据付部材。
【請求項５】
上記ポット支持部は、上記２つの支持面の間に該支持面で支持するポットそれぞれの側部面に当接するポット側部当接面をそれぞれ有していることを特徴とする請求項４に記載のポット据付部材。
【請求項６】
上記ポットの側部面における上記上部面と底部面との間となる中間部分を圧接するポット圧接部を備え、
上記ポットの対向する側部面をそれぞれ圧接するポット圧接部の組によって上記ポットを挟持することを特徴とする請求項１または２に記載のポット据付部材。
【請求項７】
上記折板屋根に形成された同一山部間および異なる山部間において複数の上記ポット受台が配置されており、
上記ポット圧接部はポットの側部面を圧接する第１側部圧接面と、異なるポットの、隣接する側部面を圧接する第２側部圧接面と、
上記第１側部圧接面と上記第２側部圧接面とを連結する圧接面連結部とを備えることを特徴とする請求項６に記載のポット据付部材。
【発明の詳細な説明】
【技術分野】
【０００１】
本発明は、植物を植えつけるポットを支持するためのポット受台を有し、該ポットを折板屋根に据えるポット据付部材に関するものである。
【背景技術】
【０００２】
近年、ヒートアイランド対策、建築物保護、ならびに、やすらぎ効果等の観点から、建築物の屋上等に植物を植え付ける、いわゆる屋上緑化に対する関心が高まっている。また、ある規模以上の建物に対して、所定以上の範囲を緑化するように義務付ける地方自治体が増えており、緑化可能な十分な敷地を有さない工場等では、該工場における屋上スペースを活用したりしている。
【０００３】
このような屋上緑化を実施する施工例としては、例えば、折板屋根に複数のレールを設置し、該レール上に略直方体形状のポット（植木鉢）を敷き詰める工法がある（非特許分文献１）。
【０００４】
この従来の工法では、折板屋根の継ぎ目部ごとに固定金具を取り付け、該固定金具にレール（下レール）を取り付ける。そして、このレール間に略直方体形状のポットを敷き並べ、該ポットにセダム等の植物を植え付けている。
【非特許文献１】日本地工株式会社、“屋上緑化”、［online］、［平成18年7月7日検索］、インターネット＜URL：http://www.chiko.co.jp/Green/o_rei.html＞
【発明の開示】
【発明が解決しようとする課題】
【０００５】
しかしながら、上記従来の技術では、折板屋根に大きな重みがかかるという問題が生じる。具体的には、従来の技術では、折板屋根上に設置したレール間にポットをしき並べる構成であるため、ポットからの荷重をレールで受け止める必要がある。このため、十分に上記ポットを支持できるように、大きな強度を有するレールを準備する必要があった。そこで、上記強度を向上させるために、レールを構成する金属板の板厚等を厚くするとレール自身の重量が大きくなるとともに、該レールが設置されている折板屋根全体に大きな重みがかかることとなる。
【０００６】
また、上記従来の技術は、折板屋根上にレールを敷設し該レール間でポットを支持する構成であるため、該レールが折板屋根の外観において目立ち美観を損なうという問題も生じる。
【０００７】
また、上記したレールを敷設せず、例えばポットを支持する支持部材を、折板屋根の山部間に載架する構成とすることも考えられるが、この構成の場合はこのポットの支持部材を固定するための部材を別途設けない限り、この指示部材をしっかりと位置決めして配置することができないという問題が生じる。
【０００８】
本発明は、上記の問題点に鑑みてなされたものであり、その目的は、軽量化を図りつつ、しっかりとポット受台の位置決めを行えるとともに、美観の低下を防ぐことができるポット据付部材を実現することにある。
【課題を解決するための手段】
【０００９】
本発明に係るポット据付部材は、上記した課題を解決するために、植物を植えつけるポットを支持するためのポット受台を有し、該ポットを折板屋根に据えるポット据付部材において、上記折板屋根では平板を折り曲げ形成した突出部分である山部が複数形成されており、上記折板屋根における、平板からこの山部の突出端部に向かって立ち上がる部分を山部側部とすると、対となって上記山部を形成する山部側部それぞれが、互いに山部の突出端部に向かって近接するように傾斜しており、上記ポット受台が、異なる山部間における対向する山部側部それぞれに当接する山部側部当接面を備えることを特徴とする。
【００１０】
上記構成によると、ポット受台が上記山部側部当接面を備えるため、該ポット受台自身およびポット受台に配置されるポットを、傾斜した山部間の側部で支持することができる。すなわち本発明に係るポット据付部材では、ポット受台が備える山部側部当接面それぞれが山部側部に当接することにより、当該ポット受台に配置するポットを折板屋根に形成された山部間で支持できる構成である。
【００１１】
このため、例えば従来技術のようにレールを折板屋根上に敷設し該レール間にポットを配置できるようにする構成と比較して、上記レールおよび該レールを固定する固定部材等を準備する必要がなく軽量化を図ることができる。
【００１２】
さらには、本発明に係るポット据付部材は、異なる山部間にポット受台を嵌めこみ、山部側部当接面で山部側部と密着して該ポット受台を支持することができる構成である。このため、例えば、ポット受台を山部間に架け渡して配置しただけの構成と比較してポット受台が外力により移動したりすることなく、しっかりと位置決めできる。
【００１３】
また、ポット受台が異なる山部間におけるそれぞれの山部側部の間で挟持される構成であるため、このポット受台は山部に隠れた状態で配置されることとなる。このように、折板屋根上においてポット受台が、異なる山部間に隠れて配置されるため、該ポット受台が人目にさらされることを低減させ美観が損なわれることを防ぐことができる。
【００１４】
よって、本発明に係るポット据付部材は、軽量化を図りつつ、しっかりとポット受台の位置決めを行えるとともに、美観の低下を防ぐことができるという効果を奏する。
【００１５】
本発明に係るポット据付部材は、上記した構成において、上記ポット受台は、上記山部側部当接面上に設けられ、異なる山部間で当該ポット受台を架け渡して配置するための架設部をさらに備えるように構成されていることが好ましい。
【００１６】
上記した構成によると、上記架設部をさらに備えるため、ポット受台自身およびこのポット受台に配置するポットを、山部間で架け渡して支持することができる。
【００１７】
したがって、ポットからポット受台にかかる力は、山部側部当接面が当接する山部側部のみならず、架設部によって架け渡した山部全体に加えられるため、ポット受台は、ポットをしっかり支持することができる。
【００１８】
また、本発明に係るポット据付部材は、上記した構成において、上記ポットは、植物を植えつける上部面および植えつけた植物を支える底部面を備え、上記折板屋根に形成された同一山部間において複数の上記ポット受台が配置されており、上記ポット受台は、
上記ポットの底部面端部を支持するポット支持部をさらに備え、上記ポット支持部が、同一山部間で配置され隣接する他のポット受台が有するポット支持部と一対で１つのポットを支持するように構成されていることが好ましい。
【００１９】
上記構成によると、上記ポット受台のポット支持部と、該ポット受台と隣接する他のポット受台のポット支持部との一対でポットを支持することができる。
【００２０】
このため、ポット支持部に加えられるポットの重みを他のポット支持部と分散させることができる。このようにポット受台にかかるポットの重みを分散させることができるため、該ポット受台の板厚等を大きくして強度を高める必要がなくポット受台の軽量化を図ることができる。
【００２１】
また、本発明に係るポット支持部は、上記した構成において、上記ポット支持部は、隣接する、異なるポットそれぞれの底部面端部を支持する２つの支持面を有するように構成されていてもよい。
【００２２】
上記構成によると、上記ポット受台が有するポット支持部が２つの支持面を有しているため、１つのポット支持部によって、異なるポットそれぞれの底部面端部の一端を支持することができる。このように１つのポット支持部により異なるポットそれぞれの底部面端部の一端を支持する部材を共用できるため、折板屋根に載置するポットごとにポット支持部を設ける必要がなく軽量化を図ることができる。
【００２３】
また、本発明に係るポット据付部材は、上記した構成において、上記ポット支持部は、上記２つの支持面の間に該支持面で支持するポットそれぞれの側部面に当接するポット側部当接面をそれぞれ有するように構成されていてもよい。
【００２４】
上記構成によるとポット側部当接面をそれぞれ有しているため、該ポット側部当接面によってポット受台に配置されたポットが移動しないように位置決めすることができる。
【００２５】
また、本発明に係るポット据付部材は、上記した構成において、上記ポットの側部面における上記上部面と底部面との間となる中間部分を圧接するポット圧接部を備え、上記ポットの対向する側部面をそれぞれ圧接するポット圧接部の組によって上記ポットを挟持するように構成されていることが好ましい。
【００２６】
上記構成によるとポット圧接部によりポットの対向する側部面における中間部分をそれぞれ圧接して該ポットを挟持し固定することができる。このため、例えば、ポットの上部で該ポットを押圧し固定する構成と比較した場合、ポットに植えつけた植物の葉がポット圧接部に接触することを防ぐことができる。
【００２７】
このため、ポット圧接部が太陽光等により熱を持ち、この熱により接触した植物の葉を枯らしてしまう等の問題が生じることを防ぐことができる。
【００２８】
このため、本発明に係るポット据付部材は、ポットに植えつける植物の状態を良好に保ったままポットを固定することができる。
【００２９】
また、本発明に係るポット据付部材は、上記した構成において、  記折板屋根に形成された同一山部間および異なる山部間において複数の上記ポット受台が配置されており、上記ポット圧接部はポットの側部面を圧接する第１側部圧接面と、異なるポットの、隣接する側部面を圧接する第２側部圧接面と、上記第１側部圧接面と上記第２側部圧接面とを連結する圧接面連結部とを備えるように構成されていることが好ましい。
【００３０】
上記構成によると、上記ポット圧接部は、第１側部圧接面と第２側部圧接面とこれらを連結する圧接面連結部とを備えている。このため、上記圧接面連結部を介してポットの側部面から第１側部圧接面に作用する力を第２側部圧接面に、第２側部圧接面に作用する力を第１側部圧接面に加えることができる。
【００３１】
そのため、ポットの対向する側部面それぞれを一方のポット圧接部が有する第１側部圧接面と、他方のポット圧接部が有する第２側部圧接面とによってそれぞれ押圧し結果としてポットを挟持し固定することができる。
【発明の効果】
【００３２】
本発明に係るポット据付部材は、以上のように、植物を植えつけるポットを支持するためのポット受台を有し、該ポットを折板屋根に据えるポット据付部材において、上記折板屋根では平板を折り曲げ形成した突出部分である山部が複数形成されており、上記折板屋根における、平板からこの山部の突出端部に向かって立ち上がる部分を山部側部とすると、対となって上記山部を形成する山部側部それぞれが、互いに山部の突出端部に向かって近接するように傾斜しており、上記ポット受台が、異なる山部間における対向する山部側部それぞれに当接する山部側部当接面を備えることを特徴とする。
【００３３】
よって、本発明に係るポット据付部材は、軽量化を図りつつ、ポット受台の位置決めを行えるとともに美観を損なうことがないという効果を奏する。
【発明を実施するための最良の形態】
【００３４】
本発明の一実施形態について図１ないし図１０に基づいて説明すると以下のとおりである。すなわち、本実施の形態に係る緑化システム１００は、図２に示すように、工場または倉庫等の折板屋根１０１上に設置したポット１０３に植物１０２を植え込み、屋根の緑化を実現するものである。図２は、本発明の実施形態を示す図であり、折板屋根１０１に据付けたポット１０３に植物１０２を植えつけた緑化システム１００の一例を示す。
【００３５】
図２に示すように、緑化システム１００は、植物１０２が植え込まれた複数のポット１０３…と、該ポット１０３それぞれを折板屋根１０１上に据付けるためのポット据付部材１とを備えてなる構成である。
【００３６】
上記ポット１０３は、植物を収容するための容器（植木鉢）であり、例えば、ポリプロピレン等によって形成することができる。図３に示すように上記ポット１０３は、上部１３１の面積が底部１３２の面積よりも小さく、断面形状が略台形となる六面体である。この図３は、本発明の実施形態を示すものであり、ポット１０３の概略構成を示す斜視図である。
【００３７】
そして、上記ポット１０３は植え込み口１０４を９つ有し、この植え込み口１０４それぞれに植物を植えつけることができるようになっている。このポット１０３に植えつける植物としては、例えばセダム類を利用することができる。
【００３８】
なお、本実施の形態に係るポット１０３では、説明の便宜上、植え込み口１０４が設けられる側の面を上部１３１、該上部１３１と対向する面でありポット１０３の底となる面を底部１３２とする。また、上部１３１において長手となる辺側の側面を第１側部１３３ａ、１３３ｂとし、上部１３１において短手となる辺側の側面を第２側部１３４ａ、１３４ｂとする。第１側部１３３ａ、１３３ｂ、ならびに第２側部１３４ａ、１３４ｂそれぞれを特に区別する必要がない場合は、単に第１側部１３３、および第２側部１３４と称する。
【００３９】
（ポット据付部材の構成）
ここで、図１を参照して、本実施の形態に係るポット据付部材１の構成について説明する。なお、図１は、本発明の実施形態を示すものであり、ポット据付部材１によってポット１０３が折板屋根１０１に据付けられた状態の一例を示す図である。
【００４０】
上記ポット据付部材１は、図１に示すようにポット受台２、第１固定部３、第２固定部４、および固定金具５を備えてなる構成である。
【００４１】
まず、本実施の形態に係るポット据付部材１を固定する折板屋根１０１の構成について説明する。この折板屋根１０１は、その端部部分が折れ曲がっている板同士をつなぎ合わせて構成されたものである。すなわち、この折板屋根１０１は、折れ曲がった端部部分を、他の板における端部部分と鉤継ぎによりつなぎ合わせることにより形成することができる。そして、この折板屋根１０１では、このように各板同士の端部部分をつなぎ合わせることで、例えば図１および図２に示すようにこのつなぎ合わせた部分に平部１０７から隆起した山部１０５を形成することができる。その結果、鉤継ぎによりつなぎ合わせた継ぎ目部１０６が、折板屋根１０１の山部１０５ごとに形成されることとなる。
【００４２】
なお、本実施の形態に係る折板屋根１０１では、継ぎ目部１０６間が５ｍ間隔となるように形成されている。
【００４３】
上記ポット受台２は、ポット１０３を支持し、上記した構成を有する折板屋根１０１に据付けるためのものである。このポット受台２は、上記折板屋根１０１に形成された山部１０５間に載架されるようになっており、載架された２つのポット受台２によって１つのポット１０３を支持できるように構成されている。
【００４４】
上記第１固定部３および第２固定部４は、ポット１０３をポット受台２上で固定するためのものである。
【００４５】
上記固定金具５は、上記第１固定部３および上記第２固定部４を折板屋根１０１に固着させるための金具である。
【００４６】
（ポット受台）
ここで図４および図５を参照して、本実施の形態に係るポット受台２の構成について説明する。この図４は、本発明の実施形態を示すものであり、ポット据付部材１が有する各部材の配置関係の一例を示す図である。また、図５は、本発明の実施形態を示すものであり、ポット受台２の外観の一例を示す斜視図である。
【００４７】
ここで、山部１０５の断面形状において継ぎ目部１０６が形成されている面を山部上面１０８、該山部上面１０８に向かって平部１０７から立ち上がる面を山部側面１０９とする。また、折板屋根１０１において山部１０５が延設される方向をｙ軸方向、折板屋根１０１において山部１０５それぞれが配置される方向（ｙ軸方向と垂直となり、かつ異なる山部１０５間を結ぶ方向）をｘ軸方向、平部１０７から山部１０５が隆起する方向（ｘ軸とｙ軸とに垂直となる方向）をｚ軸方向とする。
【００４８】
上記ポット受台２は、図４に示すように、当該ポット受台２の長手方向（ｘ軸方向）における両端部で、自身を山部上面１０８に載置するための山部載置部２２と、ポット受台２を載架する山部１０５間の対向する山部側面１０９にそれぞれ当接している本体部２１とを備えている。
【００４９】
ここで、図５を参照してポット受台２のより詳細な構成について説明する。なお、この図５は、本発明の実施形態を示すものであり、ポット受台２の外観形状を示す斜視図である。図５に示すようにポット受台２は、上記した本体部２１および山部載置部２２を備える。そして、上記本体部２１が、折板屋根１０１の山部側面１０９それぞれに当接する山部当接部２３と、これら山部当接部２３それぞれを連結する転結面２４を有してなる構成である。
【００５０】
すなわち上記連結面２４は、一方の山部当接部２３の両側部が他方の対向する山部当接部２３に向かって折り曲げられ形成された面であり、該山部当接部２３の側部間を連結する。そして、本体部２１は、この対向する山部当接部２３それぞれと連結面２４それぞれとによって筒形状を形成し、この形成した筒の上部面領域に山部載置部２３が覆うように配置される。このように、本体部２１は、山部載置部２２が配置される側の面（上部面領域）と対向する側では面が形成されておらず、底が抜けたような形状となる。
【００５１】
そして上記本体部２１では、上記山部当接部２３が山部１０５間において対向する山部側面１０９それぞれに当接しており、これら山部側面１０９によって本体部２１が挟持されるようになっている。
【００５２】
つまり、折板屋根１０１において山部１０５が延設される方向（ｙ軸方向）からみた本体部２１の端面形状（連結面２４の形状）は、上底が下底よりも大きくなる台形形状となっている。そして、本体部２１の長手方向（ｘ軸方向）の大きさ、すなわち対向する山部当接部２３間の距離は、図４に示すように山部１０５間における山部側面１０９間の大きさａと一致するようになっている。
【００５３】
また、上記連結面２４の左右の側部の傾斜、すなわち山部当接部２３の傾斜は、該山部当接部２３が当接する山部側面１０９の傾斜と一致するようになっている。そして、この連結面２４の左右の側部に配される山部当接面２３それぞれは、山部載置部２２が配置される方向とは逆向きに突出して配置されている。
【００５４】
このように、本体部２１では、対向する山部当接部２３同士が、当接する山部側面１０９間の距離にあわせて配置され、かつ山部側面１０９の傾斜と一致するように形成されており、山部当接部２３を山部側面１０９に密接させることがきる。
【００５５】
このため、本実施の形態に係るポット据付部材１では、ポット受台２にかかるポット１０３からの重みを山部当接部２３の面全体で山部側面１０９に加えることができるとともに、ポット受台２をこれら山部側面１０９間で密着して固定することができる。
【００５６】
すなわち本実施の形態に係るポット据付部材１では、ポット受台２が備える山部当接面２３それぞれが山部側面１０９に当接することにより、当該ポット受台２に配置するポット１０３を折板屋根１０１に形成された山部１０５間で支持できる構成である。
【００５７】
このため、例えば従来技術のようにレールを折板屋根１０１上に敷設し該レール間にポット１０３を配置できるようにする構成と比較して、上記レールおよびこのレールを折板屋根１０１上に取り付けるための部材を準備する必要がなく軽量化を図ることができる。
【００５８】
さらには、本実施の形態に係るポット据付部材１は、異なる山部１０５間にポット受台２を嵌めこみ、山部側面１０９と密着して該ポット受台２を支持することができる構成である。このため、例えば、ポット受台２を山部１０５間に架け渡して配置しただけの構成と比較してポット受台２が外力により移動したりすることなくしっかりと位置決めできる。
【００５９】
また、ポット受台２が異なる山部１０５間におけるそれぞれの山部側面１０９の間で挟持される構成であるため、このポット受台２は山部１０５に隠れた状態で配置されることとなる。このように、折板屋根１０１上においてポット受台２が異なる山部１０５間に隠れて配置されるため、該ポット受台２が人目にさらされることを低減させ美観が損なわれることを防ぐことができる。
【００６０】
さらにまた、上記山部当接部２３が、上記したように山部載置部２２が配置される方向とは逆向きに突出しているため、この山部当接部２３が山部側面１０９と当接する面積を大きくすることができる。その結果、本体部２１は、ポット２を山部側面１０９間で安定して固定することができる。
【００６１】
上記山部載置部２２は、上記した本体部２１の端面（連結面２４）における上底側に形成されており、ポット受台２を山部１０５間で載置するためのものである。この山部載置部２２は、その両端部が連結面２４の上底よりもｘ軸方向に大きく伸びて突出した形状となっている。
【００６２】
より具体的には、本実施の形態に係る折板屋根１０１では、継ぎ目部１０６間の大きさが５ｍとなるように設定されているため、山部載置部２２のｘ軸方向の大きさは、上記継ぎ目部１０６間の大きさよりもやや小さい４ｍ８２ｃｍ程度となるように形成される。なお、この山部載置部２２のｘ軸方向の大きさは、継ぎ目部１０６間の大きさ、山部上面１０８の大きさ等に応じて適宜変更される。
【００６３】
そしてこの突出した部分が山部上面１０８上に当接し、ポット受台２の自重およびポット受台２に配置されたポット１０３の重みにより重力方向（ｚ軸方向）に押圧されることで、当該ポット受台２を山部１０５間で載置できるようになっている。
【００６４】
このように、本実施の形態に係るポット受台２では、上記山部載置部２２によって山部１０５間で架け渡して自身を支持することができる。したがって、ポット１０３からポット受台２にかかる力は、山部当接部２３が当接する山部側面１０９のみならず、山部載置部２２によって架け渡したそれぞれの山部１０５全体に加えられる。このため、ポット受台２のみでポット１０３を支える構成と比較して、ポット受台２自身には大きな力が加わることがない。
【００６５】
以上のように、本実施の形態に係るポット受台２は、ポット受台２自身にかかるポット１０３の重みを折板屋根１０１の山部１０５（山部上面１０８および山部側面１０９）に荷重させポット１０３を支持する構成である。それゆえ、ポット受台２自身には大きな力が加わることがなく、ポット受台２を構成する板厚等を大きくするなどポット受台２の強度を大きくする必要がない。このため、本実施の形態に係るポット据付部材１では、ポット受台２の軽量化を図ることができる。
【００６６】
また、本実施の形態に係るポット据付部材１は、ポット受台２を折板屋根１０１の山部１０５間で載架してポット１０３を支持する構成であるため、このポット受台２を折板屋根１０１に取り付けるためのレール等、他の部品を必要とせずさらなる軽量化を図ることができる。
【００６７】
また、上記のようにポット受台２を折板屋根１０１上に配置するために、例えば、レール等を設ける必要がなく、このポット受台２の取り付け工程を簡易とすることができる。このため結果として、折板屋根１０１上にポット１０３を容易に配置することができるため、簡単な施工により本実施の形態に係る緑化システム１００を実現することができる。
【００６８】
また山部載置部２２のｘ軸方向でみた端面形状は、図６に示すように、山部載置部上面２５と、２つのポット側部当接面２６と、２つのポット底部支持面２７とによって凸形状を形成している。なお、この図６は、本実施の形態に係るポット受台２の端面形状を示す斜視図である。
【００６９】
すなわち、山部載置部２２は、折板屋根１０１の平部１０７と平行となるように配される山部載置部上面２５と、該山部載置部上面２５から受台底部２４に向かって略垂直に折れ曲がって形成される２つのポット側部当接面２６と、これらポット側部当接面２６から互が反対となる方向に略垂直に折れ曲がって形成される２つのポット底部支持面２７とによって形成されている。
【００７０】
そして、上記ポット底部支持面２７に、ポット１０３の底部１３２における第１側部１３３側の端部部分を配置させ、この端部部分を支持するとともに、ポット側部当接面２６が第１側部１３３に当接することによりポット１０３どうしが接触しないように位置決めできるようになっている。
【００７１】
このように、本実施の形態に係るポット受台２では、上記山部載置部２２によって、ポット１０３の底部１３２の一方の側部（第１側部１３３）を支持することができる。よって、上記ポット受台２は、この第１側部１３３と対向する他の第１側部１３３を支持する他のポット受台２とのペアでポット１０３を支持することができる。
【００７２】
以上のように、山部１０５間に設置されたポット受台２に、ポット１０３を配置することができる。
【００７３】
なお、上記したポット受台２は、ステンレス鋼等により一体として形成されてもよいし、本体部２１と山部載置部２２と別々に組み合わせて形成するように構成されていてもよい。
【００７４】
また、本実施の形態に係るポット据付部材１では、上記ポット受台２に配置されたポット１０３が移動しないよう固定するため、上述したようにさらに第１固定部３、第２固定部４、および固定金具５を備えている。そこで、以下において図７〜図１０を参照して第１固定部３、第２固定部４、および固定金具５の詳細について説明する。
【００７５】
（第１固定部、第２固定部、固定金具の構成）
図７に示すように第１固定部３は、一方のポット１０３の第１側部１３３ａと、他方のポット１０３の第１側部１３３ｂとの間に配置され、これら第１側部１３３ａおよび第１側部１３３ｂを同時に固定する部材である。
【００７６】
また、第２固定部４は、一方のポット１０３の第２側部１３４ａと、他方のポット１０３の第２側部１３４ｂとの間に配置され、これら第２側部１３４ａおよび第２側部１３４ｂを同時に固定する部材である。
【００７７】
そして、上記第１固定部３および第２固定部４それぞれは、図８および図９に示すように、ポット１０３の第１側部１３３および第２側部１３４における、上部１３１と底部１３２との略中間位置にそれぞれ配置され、第２側部１３４が第１側部１３３の上方となるようにそれぞれ配置される。なお、図７は、本実施の形態に係るポット１０３と第１固定部３および第２固定部４との配置関係を示す平面図である。
【００７８】
上記第１固定部３および上記第２固定部４はそれぞれ、ポット１０３の底部１３２と平行となる固定部平面３１および固定部平面４１と、この固定部平面３１および固定部平面４１の短手方向における端部を折り曲げて形成した、ポット１０３の第１側部１３３または第２側部１３４と当接するポット押さえ面３２およびポット押さえ面４２とを備えている。
【００７９】
第１固定部３では、ポット押さえ面３２が固定部平面３１から底部に向かって、第１側部１３３に沿うように折り曲げられて形成されている。このため、第１固定部３の端部形状は、図８に示すように底部１３２に向かってその間隔が小さくなるコの字形状となる。
【００８０】
なお、ポット押さえ面３２のうち、第１側部１３３ａと接する方をポット押さえ面３２ａとし、隣接する他のポット１０３の第１側部１３３ｂと接する方をポット押さえ面３２ｂとする。そして、特に両者を区別して説明する必要がない場合は、ポット押さえ面３２と称する。また、この図８は、本実施の形態に係る緑化システム１００をｘ軸方向からみた端面図であり、ポット１０３と第１固定部３との配置関係の一例を示す。
【００８１】
そして、ポット１０３では、第１固定部３のポット押さえ面３２ａにより第１側部１３３ａが当接され、他の第１固定部３のポット押さえ面３２ｂにより第１側部１３３ｂが当接され、これらのポット押さえ面３２ａとポット押さえ面３２ｂとによってポット１０３を挟み込み固定することができる。
【００８２】
一方、第２固定部４では、ポット押さえ面４２が固定部平面４１から上部１３１に向かって、第２側部１３４に沿うように折り曲げられて形成されている。このため、第２固定部４の端部形状は、図９に示すように上部に向かってその間隔が大きくなるコの字形状となる。
【００８３】
なお、ポット押さえ面４２のうち、第２側部１３４ａと接する方をポット押さえ面４２ａとし、隣接する他のポット１０３の第２側部１３４ｂと接する方をポット押さえ面４２ｂとする。そして、特に両者を区別して説明する必要がない場合は、ポット押さえ面４２と称する。また、この図９は、本実施の形態に係る緑化システム１００をｙ軸方向からみた端面図であり、ポット１０３と第２固定部４との配置関係の一例を示す。
【００８４】
そして、ポット１０３では、第２固定部４のポット押さえ面４２ａにより第２側部１３４ａが当接され、他の第２固定部４のポット押さえ面４２ｂにより第２側部１３４ｂが当接され、これらのポット押さえ面４２ａとポット押さえ面４２ｂとによってポット１０３を挟み込み固定することができる。
【００８５】
以上のように、本実施の形態に係るポット据付け部１では、一方の第１固定部３が備えるポット押さえ面３２と、他方の第１固定部３が備えるポット押さえ面３２とによりポット１０３の対向する第１側部１３３ａと第１側部１３３ｂとにおける中間部分をそれぞれ圧接して該ポット１０３を挟持し固定することができる。
【００８６】
また、一方の第２固定部４が備えるポット押さえ面４２と、他方の第２固定部４が備えるポット押さえ面４２により、ポット１０３の対向する第２側部１３４ａと第２側部１３４ｂとにおける中間部分をそれぞれ圧接して該ポット１０３を挟持し固定することができる。
【００８７】
このため、例えば、ポット１０３の上部１３１で該ポット１０３を押圧し固定する構成と比較した場合、ポット１０３に植えつけた植物の葉が第１固定部３および第２固定部４に接触することを防ぐことができる。
【００８８】
したがって、上記第１固定部３および第２固定部４が太陽光等により熱を持ち、この熱により接触した植物の葉を枯らしてしまう等の問題が生じることを防ぐことができる。
【００８９】
よって、本発明に係るポット据付部材１は、ポット１０３に植えつける植物の状態を良好に保ったままポットを固定することができる。
【００９０】
さらにまた、上記第１固定部３または第２固定部４は、異なるポット１０３の隣接する側部（１３３ａと１３３ｂ、または１３４ａと１３４ｂ）を押圧するポット押さえ面３２ａ・３２ｂまたはポット押さえ面４２ａ・４２ｂを備える構成である。そして、第１固定部３におけるポット押さえ面３２ａ・ポット押さえ面３２ｂ間を固定部平面３１で連結し、第２固定部４におけるポット押さえ面４２ａ・ポット押さえ面４２ｂ間を固定部平面４１で連結する構成である。
【００９１】
このため、上記第１固定部３では、固定部平面３１を介して、第１側部１３３ａからポット押さえ面３２ａに作用する力を、他のポット１０３の隣接する第１側部１３３ｂと当接するポット押さえ面３２ｂに加えることができる。また、逆に、第１側部１３３ｂからポット押さえ面３２ｂに作用する力を、他のポット１０３の隣接する第１側部１３３ａと当接するポット押さえ面３２ａに加えることができる。
【００９２】
したがって、ポット１０３の対向する第１側部１３３ａ・１３３ｂそれぞれを一方の第１固定部３が有するポット押さえ面３２ａと、他の第１固定部３が有するポット押さえ面３２ｂとによって押圧し、ポット１０３を挟持することができる。
【００９３】
また、上記第２固定部４では、固定部平面４１を介して、第２側部１３４ａからポット押さえ面４２ａに作用する力を、他のポット１０３の隣接する第２側部１３４ｂと当接するポット押さえ面４２ｂに加えることができる。また、逆に、第２側部１３４ｂからポット押さえ面４２ｂに作用する力を、他のポット１０３の隣接する第２側部１３４ａと当接するポット押さえ面４２ａに加えることができる。
【００９４】
したがって、ポット１０３の対向する第２側部１３４ａ・１３４ｂそれぞれを一方の第２固定部４が有するポット押さえ面４２ａと、他の第２固定部４が有するポット押さえ面４２ｂとによって押圧し、ポット１０３を挟持することができる。
【００９５】
このように、隣接する複数のポット１０３…では、互いに第１固定部３または第２固定部４を介して押圧しあうことで、ポット受台２上で固定されるようになっている。
【００９６】
なお、上記した第１固定部３および第２固定部４それぞれは、下記に示す固定金具５により折板屋根１０１上に固着させることができる。
【００９７】
すなわち、上記固定金具５は、図１０に示すように第１押さえ金具５１、第２押さえ金具５２、第１ボルト２００、および第２ボルト２０１を備えてなる構成である。なお、この図１０は、図７に示す平面図におけるＡ−Ａ´での断面図であり、第１固定部３、第２固定部４、固定金具５、および折板屋根１０１それぞれの配置関係を示す。
【００９８】
第１押さえ金具５１は、山部１０５に形成された継ぎ目部１０６において、山部上面１０８からまっすぐ立ち上がっている側を圧接する金具であり、第２ボルト２０１によって継ぎ目部１０６に固定される。第１押さえ金具５１は、コの字形状した金具（みぞ形鋼）であり、押さえ部上面１０８に沿った面から継ぎ目部１０６の立ち上がりに沿うように折れ曲がり、継ぎ目部１０６を超えて上方に延びる。そして、所定距離だけ伸びると、山部上面１０８に沿った面と同じ方向に平行となるようにさらに折れ曲がりコの字形状を形成する。
【００９９】
第２押さえ金具５２は、上記第１押さえ金具５１とは反対側、すなわち継ぎ目部１０６において巻き込まれた部分が形成されている側から該継ぎ目部１０６を圧接する金具であり、第２ボルト２０１により継ぎ目部１０６に固定される。第２押さえ金具５２は、継ぎ目部１０６の巻き込まれた部分を覆うように曲線形状を形成し、第２ボルト２０１によって固定される部分では山部上面１０８から上方に向かってまっすぐ伸びている。そして、第１押さえ部５１と同様の長さだけ上方に延びると、第１押さえ部５１とは異なる方向に折れ曲がった形状となる。
【０１００】
以上のように、第２ボルトによって第１押さえ金具と第２押さえ金具とを継ぎ目部１０６を挟み込むように固定すると、山部上面１０８と接している側とは逆の側では、第１固定部３および第２固定部４を支持する固定部支持面５３を形成することができる。
【０１０１】
そして、固定金具５では、第１押さえ金具５１と第２押さえ金具５２とによって形成した固定部支持面５３に、異なる２つの第１固定部３が重畳され、さらにその上に第２固定部４が配される。このように、２つの第１固定部３と第２固定部４とが重畳されると、固定金具５では、第１ボルト２００が、第２固定部４側から折板屋根１０１の平部１０７に向かって、該第２固定部４、２つの第１固定部３、固定部支持面５３それぞれを貫通し、これらをまとめて固定する。
【０１０２】
このように、本実施の形態に係るポット据付部材１では、第２ボルト２０１によって第１押さえ金具５１と第２押さえ金具５２とを継ぎ目部１０６に固定させることができる。さらに、継ぎ目部１０６に固定した第１押さえ金具５１と第２押さえ金具５２とによって固定部支持面５３を形成し、この固定部支持面５３と、該固定部支持面５３上に重畳される第１固定部３および第２固定部４それぞれを、第１ボルト２００によって固定させることができる。
【０１０３】
このように、２本のボルトだけで、第１固定部３および第２固定部４を折板屋根１０１上に固定することができるため、第１固定部３および第２固定部４それぞれの設置を容易に行うことができる。
【０１０４】
なお、本実施の形態に係るポット据付部材１では、２つのポット受台２によってポット１０３を支持する構成であったがこれに限定されるものではない。例えば、２つのポット側部当接面２６とポット底部支持面２７と山部載置上面２５とを有する上記した山部載置部２２の形状を下記の形状とし、１つのポット受台２によってポット１０３を支持するように構成してもよい。すなわち、上記山部載置部２２の形状を、ｘ軸方向でみた断面形状が凸形状とならず平面形状とし、１つのポット底部支持面２７のみを有した構成とする。
【０１０５】
また、３つ以上のポット受台２によってポット１０３を支持する構成であってもよい。このような構成は、ポット１０３の底部の側部以外の面を支持するポット受台２が備える山部載置部２２の形状を、上述した１つのポット底部支持面２７のみを有する構成とすることで実現できる。
【０１０６】
また、本実施の形態に係るポット受台２は、折板屋根１０１における山部１０５間で、山部当接部２３が山部側面１０９に当接し、山部載置部２２がこの山部間１０５を架け渡すことにより配置される構成であった。しかしながら、ポット受台２を山部１０５間で支持する構成はこれに限定されるものではなく、山部当接部２３のみによりポット受台２を山部１０５間で支持する構成であってもよい。
【０１０７】
しかしながら、本実施の形態に係るポット受台２のように山部当接部２３と山部載置部２２とによって、該ポット受台２を支持する構成の方が、ポット受台２にかかる力を山部１０５全体で受けることができるため好ましい。
【０１０８】
また、本実施の形態に係るポット据付部材１では、第１固定部３および第２固定部４それぞれを、折板屋根１０１に形成された継ぎ目部１０６に固定金具５によって固定する構成であった。また、固定金具５を取り付ける継ぎ目部１０６は、図１０示すようにその端面形状が折板屋根１０１から上に立ち上げ、さらに一方に折り曲げて巻き込んだ形状をした、いわゆる角鉤であった。
【０１０９】
しかしながら、上記固定金具５を取り付ける継ぎ目部１０６は、上記した角鉤に限定されるものではなく、図１１に示すような端面形状が折板屋根１０１からの立ち上がり部分の上方で略円形となるように巻き込んだ丸鉤であってもよい。なお、図１１は、本発明の別の実施形態を示すものであり、図７に示す平面図におけるＡ−Ａ´断面図である。
【０１１０】
継ぎ目部１０６が丸鉤の場合、第１押さえ金具５１は、上記第２押さえ金具５２と同様に、継ぎ目部１０６の巻き込まれた部分を覆うように曲線形状となる。
【０１１１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１２】
本実施の形態に係るポット据付部材１は、折板屋根１上に形成された山部１０５間に載架されたポット受台２によりポット１０３を支持することができるため、ポット受台２を設置するためのレール等を準備する必要がない。さらにまたポット受台２にかかるポット１０３の荷重を折板屋根１０１に形成された山部１０５とともに受ける構成であるため該ポット受台２の強度を高める必要がなく軽量化を図ることができる。
【０１１３】
このため、ポット据付部材１全体の軽量化を図ることができ、折板屋根のように大きな荷重が加わることが好ましくない場所に好適に利用することができる。
【図面の簡単な説明】
【０１１４】
【図１】本発明の実施形態を示すものであり、ポット据付部材によってポットが折板屋根に据付けられた状態の一例を示す図である。
【図２】本発明の実施形態を示すものであり、折板屋根に据付けたポットに植物を植えつけた緑化システムの一例を示す図である。
【図３】本発明の実施形態を示すものであり、ポットの概略構成を示す斜視図である。
【図４】本発明の実施形態を示すものであり、ポット据付部材が有する各部材の配置関係の一例を示す図である。
【図５】本発明の実施形態を示すものであり、ポット受台の外観の一例を示す斜視図である。
【図６】本実施の形態に係るポット受台の端面形状を示す斜視図である。
【図７】本実施の形態に係るポットと第１固定部および第２固定部との配置関係を示す平面図である。
【図８】本実施の形態に係る緑化システムをｘ軸方向からみた端面図であり、ポットと第１固定部との配置関係の一例を示す。
【図９】本実施の形態に係る緑化システムをｙ軸方向からみた端面図であり、ポットと第２固定部との配置関係の一例を示す。
【図１０】本発明の実施形態を示すものであり、図７に示す平面図におけるＡ−Ａ´断面図である。
【図１１】本発明の別の実施形態を示すものであり、図７に示す平面図におけるＡ−Ａ´断面図である。
【符号の説明】
【０１１５】
１    ポット据付部材
２    ポット受台
３    第１固定部（ポット圧接部）
４    第２固定部（ポット圧接部）
２１  本体部
２２  山部載置部（架設部・ポット支持部）
２３  山部当接部（山部側部当接面）
２５  山部載置部上面
２６  ポット側部当接面
２７  ポット底部支持面（支持面）
３１  固定部平面（圧接面連結部）
３２ａ  ポット押さえ面（第１側部圧接面）
３２ｂ  ポット押さえ面（第２側部圧接面）
４１  固定部平面（圧接面連結部）
４２ａ  ポット押さえ面（第１側部圧接面）
４２ｂ  ポット押さえ面（第２側部圧接面）
１００  緑化システム
１０１  折板屋根
１０２  植物
１０３  ポット
１０５  山部
１０６  継ぎ目部
１０７  平部（平板）
１０８  山部上面
１０９  山部側面（山部側部）
１３１  上部（上部面）
１３２  底部（底部面）
１３３ａ第１側部（側部面）
１３３ｂ第１側部（側部面）
１３４ａ第２側部（側部面）
１３４ｂ第２側部（側部面）
【図１】
2008125472.tif 000003
【図２】
2008125472.tif 000004
【図３】
2008125472.tif 000005
【図４】
2008125472.tif 000006
【図５】
2008125472.tif 000007
【図６】
2008125472.tif 000008
【図７】
2008125472.tif 000009
【図８】
2008125472.tif 000010
【図９】
2008125472.tif 000011
【図１０】
2008125472.tif 000012
【図１１】
2008125472.tif 000013